(57)【要約】      （修正有）【課題】ほつれることがなく縫製がし易い新規な装飾体、具体的には装飾用フェルトを提供する。【解決手段】装飾用フェルト１は、孔の開いた透かし模様、及び切欠き模様のいずれか一方の模様、又は両方の模様が連続形成された帯状のフェルト３０をロール状に巻回して成る。素材が不織のフェルトで形成されているため、すなわち、織り込んだり或いは編み込んだりして形成された素材を用いていないため、ほつれることがなく、したがって、被装飾体に対して折り返して縫い付ける必要もなく、縫製がし易い。【選択図】図１
0003145791.tif 000002
【実用新案登録請求の範囲】
【請求項１】
孔の開いた透かし模様、及び切欠き模様のいずれか一方の模様、又は両方の模様が連続形成された帯状のフェルトをロール状に巻回したことを特徴とする、装飾用フェルト。
【請求項２】
前記フェルトには、ステッチ模様が形成されていることを特徴とする請求項１に記載の装飾用フェルト。
【考案の詳細な説明】
【技術分野】
【０００１】
本考案は、様々な付加的装飾に用いられ、ほつれることがなく、色彩や模様の選択の自由度に優れる装飾用フェルトに関する。
【背景技術】
【０００２】
従来から、衣服や、カーテン、カバンなどに対してレースなどの付加的な装飾を施すことが行なわれているが、そのような装飾においては、例えば被装飾体とは別個に製造される装飾用レースや装飾用テープなどが用いられる場合がある（例えば、特許文献１参照）。
【特許文献１】特開２００４−１４３６３６号公報
【考案の開示】
【考案が解決しようとする課題】
【０００３】
しかしながら、従来から使用される装飾用レースやテープは、特許文献１に開示されているように、その素材として織物や編物が用いられており、経時的にほつれ易いという難点があった。また、ほつれ易いことから、レース部分を折り返して縫い付ける必要があり、縫製が面倒であった。
【０００４】
本考案は、前記事情に着目してなされたものであり、その目的とするところは、ほつれることがなく縫製がし易い新規な装飾体、具体的には装飾用フェルトを提供することにある。
【課題を解決するための手段】
【０００５】
前記課題を解決するために、本考案の装飾用フェルトは、孔の開いた透かし模様、及び切欠き模様のいずれか一方の模様、又は両方の模様が連続形成された帯状のフェルトをロール状に巻回したことを特徴とする。
【０００６】
また、上記構成において、前記フェルトにはステッチ模様が形成されていても良い。
【考案の効果】
【０００７】
本考案によれば、素材が不織のフェルトで形成されているため、すなわち、織り込んだり或いは編み込んだりして形成された素材を用いていないため、ほつれることがなく、したがって、被装飾体に対して折り返して縫い付ける必要もなく、縫製がし易い。また、フェルト自体、様々な色彩のものが存在するため、色彩選択の自由度にも優れる。
【考案を実施するための最良の形態】
【０００８】
以下、本考案に係る装飾用フェルトの一実施形態について説明する。  
図１には、本実施形態に係る装飾用フェルト１が示されている。図示のように、この装飾用フェルト１は、所定の模様が連続形成された帯状のフェルト（以下、装飾用フェルト帯という）３０をロール状に巻回して成り、この例では、ボビン１０に巻回されている。具体的に、ボビン１０は、中心軸部材Ｏを介して互いに結合された円形の両側板１２，１４から成り、これらの両側板１２，１４間に画定される巻回スペースＳに装飾用フェルト帯３０が巻装されて成る。
【０００９】
装飾用フェルト１を構成する装飾用フェルト帯３０の様々な態様が図２に示されている。
【００１０】
図２の（ａ）に示される第１の態様に係る装飾用フェルト帯３０Ａは、フェルト素材の帯本体５０から成る。この場合、帯本体５０は、フェルト以外の材料を所定の比率で含んでいても構わない。また、帯本体５０の一方側の長尺な第１の側縁４６は直線状を成しており、他方側の長尺な第２の側縁４５は波状の切欠き模様として形成されている。更に、帯本体５０には、その長手方向に沿って第１の側縁４６に隣接してミシン目模様４０が形成されている。なお、このミシン目模様４０はステッチ模様に置き換えられても構わない。また、帯本体５０の第２の側縁４５によって形成される各波状部には、複数（図では３つ）の略葉形状の孔の開いた第１の透かし模様４４が形成されている。また、帯本体５０の略中央領域には、その長手方向に沿って、略等間隔で配列された円形の孔の開いた第２の透かし模様４１が形成されている。更に、これらの第２の透かし模様４１と略平行に、帯本体５０の略中央領域には、その長手方向に沿って、略等間隔で配列された半月形状の孔の開いた第３の透かし模様４２が形成されている。なお、第３の透かし模様４２のそれぞれの周縁には、全周にわたってステッチ模様４３を形成しておいても良い。
【００１１】
上記したような側縁４５に形成される波状の切欠き模様、透かし模様４４、４１，４２は、例えば、帯状のフェルトを、打ち抜き加工できる所定の打ち抜き装置（図示せず）のプレス加工部に設置しておき、所定の型が形成された押圧部を圧接することで形成することが可能である。この場合、プレス加工部の長さにより、一回の加工長さが決定されることから、長い帯状のフェルトを、軸方向に引きながら加工処理を施し、これをボビンに巻回することで、図１に示すような装飾用フェルト１が製造される。
【００１２】
図２の（ｂ）に示される第２の態様に係る装飾用フェルト帯３０Ｂは、フェルト素材の帯本体５０から成り、帯本体５０の両側の長尺な側縁５１，５１がいずれも波状の切欠き模様として形成されている。また、第１および第２の側縁５１によって形成される各波状部には、１つの円形の孔の開いた第１の透かし模様５２が、例えば上記したような打ち抜き加工によって形成されるとともに、それぞれの周縁にわたってステッチ模様５３が形成されている。また、帯本体５０の略中央領域には、その長手方向に沿って、略等間隔で配列された長方形の孔の開いた第２の透かし模様５６が、例えば上記したような打ち抜き加工によって形成されている。なお、第２の透かし模様５６のそれぞれの周縁には、全周にわたってステッチ模様５５を形成しておいても良い。
【００１３】
図２の（ｃ）に示される第３の態様に係る装飾用フェルト帯３０Ｃは、フェルト素材の帯本体５０から成り、帯本体５０の一方側の長尺な第１の側縁６０が直線状を成し、他方側の長尺な第２の側縁６１が波状の切欠き模様として形成されている。また、帯本体５０の第２の側縁６１によって形成される各波状部には、１つの円形の孔の開いた透かし模様６３が、例えば上記した打ち抜き加工によって形成されている。なお、透かし模様６３のそれぞれの周縁には全周にわたってステッチ模様６２が形成されていても良い。
【００１４】
図２の（ｄ）に示される第４の態様に係る装飾用フェルト帯３０Ｄは、フェルト素材の帯本体５０から成り、帯本体５０の両側には、一定の周期で、相対的に径が大きい円形の第１の切欠き模様７１と、相対的に径が小さい円形の第２の切欠き模様７２とが設けられている。具体的には、帯本体５０の一方側では、第１の切欠き模様７１と第２の切欠き模様７２とが交互に設けられ、また、帯本体５０の他方側では、第１の切欠き模様７１と、第１の切欠き模様７１および第２の切欠き模様７２の対とが交互に配列されている。
【００１５】
図２の（ｅ）に示される第５の態様に係る装飾用フェルト帯３０Ｅは、フェルト素材の帯本体５０から成り、帯本体５０の両側には、一定の周期で、相対的に大きい略葉っぱ形状の第１の切欠き模様７４と、相対的に小さい略葉っぱ形状の第２の切欠き模様７５とが設けられている。
【００１６】
図２の（ｆ）に示される第６の態様に係る装飾用フェルト帯３０Ｆは、フェルト素材の帯本体５０から成り、帯本体５０は菱形形状を、接続部８３を介して長手方向に連接した形態を成している。つまり、帯本体５０の両側には波状の切欠き模様が形成された状態となっている。また、各菱形部分８０には、菱形形状の孔の開いた透かし模様８１が例えば打ち抜き加工によって形成されている。
【００１７】
以上説明したような装飾用フェルト帯３０Ａ，３０Ｂ，３０Ｃ，３０Ｄ，３０Ｅ，３０Ｆは、ボビン１０から必要な長さだけ繰り出して切断し、例えばカバン、カーテン、ブックカバー、リメイク用のＴシャツ、デニム生地、アクセサリなどの被装飾体に対してミシンや手縫いにより縫い付けられる。
【００１８】
本実施形態に係る装飾用フェルト１は、フェルト帯３０Ａ〜３０Ｆの素材が不織のフェルトで形成されているため、すなわち、織り込んだり或いは編み込んだりして形成された素材を用いていないため、ほつれることがなく、したがって、被装飾体に対して折り返して縫い付ける必要もなく、縫製がし易い。また、フェルト自体、様々な色彩のものが存在するため、色彩選択の自由度にも優れる。
【００１９】
なお、上記したフェルト帯は、ボビン１０に巻回されることなく、直接、ロール状に構成したものであっても良い。
【図面の簡単な説明】
【００２０】
【図１】本考案の一実施形態に係る装飾用フェルトの斜視図である。
【図２】（ａ）〜（ｆ）は、装飾用フェルトを構成する装飾用フェルト帯の様々な態様を示す平面図である。
【符号の説明】
【００２１】
１  装飾用フェルト
３０  装飾用フェルト帯
５０  帯本体
４１，４２，４４，５２，５６，６３，８１  透かし模様
４５，５１，６１，７１，７２，７４，７５，８０  切り欠き模様
４３，５３，５５，６２  ステッチ模様
【図１】
0003145791.tif 000003
【図２】
0003145791.tif 000004